(57)【要約】【課題】【解決手段】  関節の関節面を置換するためのインプラント、デバイス、システムおよび方法、例えば、ベースプレートを備えた逆関節窩インプラント、中央ねじ、近位ねじ、もジューラーテーパ及び支柱。関節窩インプラントを移植するための方法も開示されている。【選択図】図９
2022502216.tif 000002
【特許請求の範囲】
【請求項１】
ベースプレートと、
中央ボアを通って前記ベースプレートへ延びる中央ねじと、
前記ベースプレートの前記中央ボアの一部と係合する結合部材と、
を備えるインプラント。
【請求項２】
前記結合部材に結合されたグレノスフィアと、
前記グレノスフィア、前記結合部材及び前記中央ねじを通って延びる支柱と、
をさらに備える、請求項１に記載のインプラント。
【請求項３】
前記ベースプレートの複数の周囲ボア内に受け入れられた少なくとも１つの周囲ねじをさらに備える、請求項２に記載のインプラント。
【請求項４】
前記ベースプレートの前記中央ボアは、
前記ベースプレートの第１の端部から第２の端部に向かって延びる近位内側ねじ部分と、
前記近位内側ねじ部分から前記ベースプレートの前記第２の端部まで延びる遠位非ねじ部分と、をさらに備える、請求項３に記載のインプラント。
【請求項５】
前記ベースプレートは、前記ベースプレートの底面から離れて延びる複数の突起をさらに備える、請求項４に記載のインプラント。
【請求項６】
前記複数の突起の各突起は、前記複数の周囲ボアの各周囲ボアに隣接して配置されている、請求項５に記載のインプラント。
【請求項７】
前記ベースプレートは、前記第１の端部から前記第２の端部まで前記ベースプレートを通って延びる複数の貫通開口をさらに備え、
前記複数の貫通開口は前記複数の突起の前記少なくとも１つの突起に隣接して配置されている、請求項６に記載のインプラント。
【請求項８】
前記中央ねじは、
ヘッド部分と、
前記ヘッド部分の第２の端部から離れて延びる近位非ねじ部分と、
前記近位非ねじ部分の第２の端部から離れて延びる遠位ねじ部分と、
をさらに備える、請求項４に記載のインプラント。
【請求項９】
前記中央ねじは、前記第１の端部から前記ヘッド部分を通って前記中央ねじへ延び、かつ前記近位非ねじ部分に伸びる凹部を備える、請求項８に記載のインプラント。
【請求項１０】
前記凹部は、
前記中央ねじの前記第１の端部から前記第２の端部に向かって延びる第１の部分と、
前記第１の部分の第２の端部から前記凹部の底部に延びる第２の部分と、
を備える、請求項９に記載のインプラント。
【請求項１１】
前記第２の部分はねじ付けされている、請求項１０に記載のインプラント。
【請求項１２】
前記結合部材は、
遠位外側ねじ部分と、
前記結合部材を通って、第１の端部から第２の端部まで延びる中央ボアと、
前記結合部材の前記第１の端部へ延び、前記中央ボアと係合する近位凹部と、
を備える、請求項１０に記載のインプラント。
【請求項１３】
前記結合部材は、前記結合部材の前記第１の端部から延びる複数の突起をさらに備える、請求項１２に記載のインプラント。
【請求項１４】
前記グレノスフィアは、
前記グレノスフィアを通って第１の端部から第２の端部まで延びる中央ボアと、
前記第２の端部から前記グレノスフィアに伸びる凹状領域と、
前記グレノスフィアの前記第２の端部から離れて伸び、前記凹状領域を囲む第１のリップと、
前記グレノスフィアの前記第２の端部から離れて伸び、前記中央ボアを囲む突起と、
を備える、請求項１２に記載のインプラント。
【請求項１５】
前記中央ボアは、
前記グレノスフィアの前記第１の端部から前記第２の端部に向かって延びる近位円筒部分と、
前記グレノスフィアの前記第２の端部から前記第１の端部に向かって延びる遠位テーパ部分と、
前記近位円筒部分と遠位テーパ部分との間に配置された中央ねじ部分と、
を備える、請求項１４に記載のインプラント。
【請求項１６】
前記支柱は、
ヘッド部と、
前記ヘッド部分から離れて延びるステムと、
を備え、
前記ヘッド部分は、前記支柱の第１の端部から前記ヘッド部分へ延びる係合凹部を含む、請求項１５に記載のインプラント。
【請求項１７】
前記ステムは、
前記ヘッド部分の底面から前記第２の端部へ離れて延びる中央部分と、
前記第２の端部から前記中央部分に向かって延びる遠位部分と、
前記中央部分と前記遠位部分との間に配置された外側ねじ部分と、
を備える、請求項１６に記載のインプラント。
【請求項１８】
円筒形のベースプレートと、
中央ねじと、
周囲圧縮ねじ及び周囲ねじと、
モジューラテーパと、
グレノスフィアと、
支柱と、
を備えた整形外科インプラントアセンブリであって、
前記ベースプレートは、
上面と、
下面と、
前記上面から前記下面に配置され、近位内側ねじ部分と遠位非ねじ部分とを備えた中央ボアと、
前記中央ボアの周りに配置された複数の周囲ボアと
前記ベースプレートの前記底面から延びる複数の個別の弧状キールと、
を含み、
前記中央ねじは、
中心軸と、
円筒形の近位非ねじ部分と、
遠位のねじ部分と、
前記ねじ部分と反対の方向に増加する表面積を有する近位ヘッド部分と、
トルク装置と係合するための近位部分を有し、前記近位ヘッド部分と通って配置される凹部と、
中央ねじ部分と、
遠位非ねじ部分と、
を備え、
前記中央ねじは、前記ベースプレートの前記中央ボアを通ってスライド式に配置され、
前記ヘッド部分の直径は、前記中央ねじが前記ベースプレートの中央ボアによって捕捉されるように、前記ベースプレートの前記中央ボアの前記非ねじ部分の直径よりも大きく、
前記中央ねじは骨にねじ込むのに適しており、
前記周囲圧縮ねじは前記周囲ボアの１つを通して配置され、前記周囲ねじは骨にねじ込むのに適しており、
前記モジューラテーパは、
テーパ円筒形であり、
遠位ねじ部分と、
トルク装置と係合するための近位凹部と、
中央ボアと、
を備えており、
前記モジューラテーパは、前記ベースプレートの前記中央ボアにねじで接続され、前記中央ねじを前記ベースプレートにロックし、
前記グレノスフィアは、
半球形であり、
遠位テーパ部分と、
中央ねじ部分と、
近位円筒部分を備える中央ボアと、
を備え、
前記グレノスフィアは、前記モジューラテーパの外側および前記グレノスフィアボアの遠位テーパ部分が機械的テーパ接続を形成するように、前記モジューラテーパの上に配置され、
前記支柱は、
直径およびトルク装置と係合するための近位凹部を有する円筒形の近位ヘッド部分と、
前記近位ヘッド部分の前記直径よりも小さい直径を有する中央部分と、
前記近位ヘッド部分の前記直径よりも小さい直径を有する遠位部分と、
前記中央支柱部分と前記遠位支柱部分との間の前記支柱の一部に沿って配置された外側ねじ部分と、
を含み、
前記支柱は、前記グレノスフィアの前記中央ボアを通して配置され、前記モジューラテーパの前記中央ボアを通してさらに配置され、前記中央ねじの前記凹部にさらに配置され、ねじで接続されている、
整形外科インプラントアセンブリ。
【請求項１９】
前記近位非ねじ部分は、多孔質、テクスチャード加工、インデント、およびスプレーからなる群から接続された表面を含む、請求項１８に記載の整形外科インプラントアセンブリ。
【請求項２０】
円筒形のベースプレートと、
中央ねじと、
モジューラテーパと、
グレノスフィアと、
支柱と、
を備えた整形外科インプラントアセンブリであって、
前記ベースプレートは、
上面と、
下面と、
前記上面から前記下面に配置され、近位内側ねじ部分と遠位非ねじ部分とを備えた中央ボアと、
前記ベースプレートの前記底面から延びる複数の個別の弧状キールと、
を含み、
前記中央ねじは、
中心軸と、
円筒形の近位非ねじ部分と、
遠位ねじ部分と、
前記ねじ部分と反対の方向に増加する表面積を有する近位ヘッド部分と、
トルク装置と係合するための近位部分を有し、前記近位ヘッド部と通って配置される凹部と、
中央ねじ部分と、
遠位非ねじ部分と、
を備え、
前記中央ねじは、前記ベースプレートの前記中央ボアを通ってスライド式に配置され、
前記ヘッド部分の直径は、前記中央ねじが前記ベースプレートの中央ボアによって捕捉されるように、前記ベースプレートの前記中央ボアの前記非ねじ部分の直径よりも大きく、
前記中央ねじは骨にねじ込むのに適しており、
前記モジューラテーパは、
テーパ円筒形であり、
遠位ねじ部分と、
トルク装置と係合するための近位凹部と、
中央ボアと、
を備えており、
前記モジューラテーパは、前記ベースプレートの前記中央ボアにねじで接続され、
前記グレノスフィアは、
半球形であり、
遠位テーパ部分と、
中央ねじ部分と、
近位円筒部分を備える中央ボアと、
を備え、
前記グレノスフィアは、前記モジューラテーパの外側および前記グレノスフィアボアの遠位テーパ部分が機械的テーパ接続を形成するように、前記モジューラテーパの上に配置され、
前記支柱は、
直径およびトルク装置と係合するための近位凹部を有する円筒形の近位ヘッド部分と、
前記近位ヘッド部分の前記直径よりも小さい直径を有する中央部分と、
前記近位ヘッド部分の前記直径よりも小さい直径を有する遠位部分と、
前記中央支柱部分と前記遠位支柱部分との間の前記支柱の一部に沿って配置された外側ねじ部分と、
を含み、
前記支柱は、前記グレノスフィアの前記中央ボアを通して配置され、前記モジューラテーパの前記中央ボアを通してさらに配置され、前記中央ねじの前記凹部にさらに配置され、ねじで接続されている、
整形外科インプラントアセンブリ。
【請求項２１】
前記複数の中央ねじの各ねじの前記近位非ねじ部分は、多孔性、テクスチャード加工、インデント、およびスプレーからなる群から接続された表面を含む、請求項２０に記載の整形外科インプラントアセンブリシステム。
【請求項２２】
少なくとも円筒形のベースプレートと、
複数の中央ねじと、
少なくとも１つの周囲圧縮ねじ及び周囲ねじと、
少なくとも１つのモジューラテーパと、
複数のグレノスフィアと、
少なくとも１つの支柱と、
を備えた整形外科インプラントアセンブリであって、
前記少なくとも１つのベースプレートは、
上面と、
下面と、
前記上面から前記下面に配置され、近位内側ねじ部分と遠位非ねじ部分とを備えた中央ボアと、
前記中央ボアの周りに配置された複数の周囲ボアと
前記ベースプレートの前記底面から延びる複数の個別の弧状キールと、
を含み、
前記複数の中央ねじの各中央ねじは、
中心軸と、
円筒形の近位非ねじ部分と、
遠位ねじ部分と、
前記ねじ部分と反対の方向に増加する表面積を有する近位ヘッド部分と、
トルク装置と係合するための近位部分を有し、前記近位ヘッド部と通って配置される凹部と、
中央ねじ部分と、
遠位非ねじ部分と、
を備え、
前記中央ねじは、前記ベースプレートの前記中央ボアを通ってスライド式に配置され、
前記ヘッド部分の直径は、前記中央ねじが前記ベースプレートの中央ボアによって捕捉されるように、前記ベースプレートの前記中央ボアの前記非ねじ部分の直径よりも大きく、
前記中央ねじは骨にねじ込むのに適しており、
前記少なくとも１つの周囲圧縮ねじは前記周囲ボアの１つを通して配置され、前記周囲ねじは骨にねじ込むのに適しており、
前記少なくとも１つのモジューラテーパは、
先細りの円筒形であり、
遠位ねじ部分と、
トルク装置と係合するための近位凹部と、
中央ボアと、
を備えており、
前記モジューラテーパは、前記ベースプレートの前記中央ボアにねじで接続され、
前記複数のグレノスフィアの各グレのスフィアは、
半球形であり、
遠位テーパ部分と、
中央ねじ部分と、
近位円筒部分を備える中央ボアと、
を備え、
前記グレノスフィアは、前記モジューラテーパの外側および前記グレノスフィアボアの遠位テーパ部分が機械的テーパ接続を形成するように、前記モジューラテーパの上に配置され、
前記少なくとも１つの支柱は、
直径およびトルク装置と係合するための近位凹部を有する円筒形の近位ヘッド部分と、
前記近位ヘッド部分の前記直径よりも小さい直径を有する中央部分と、
前記近位ヘッド部分の前記直径よりも小さい直径を有する遠位部分と、
前記中央支柱部分と前記遠位支柱部分との間の前記支柱の一部に沿って配置された外側ねじ部分と、
を含み、
前記支柱は、前記グレノスフィアの前記中央ボアを通して配置され、前記モジューラテーパの前記中央ボアを通してさらに配置され、前記中央ねじの前記凹部にさらに配置され、ねじで接続されている、
整形外科インプラントアセンブリシステム。
【請求項２３】
前記複数の中央ねじの前記各ねじは、固有のねじ部分の長さを含む、請求項２２に記載の整形外科インプラントアセンブリシステム。
【請求項２４】
前記複数の中央ねじの前記各ねじは、固有の非ねじ部分の長さを含む、請求項２２に記載の整形外科インプラントアセンブリシステム。
【請求項２５】
前記複数の中央ねじの各ねじの前記近位非ねじ部分は、多孔性、テクスチャード加工、インデント、およびスプレーからなる群から接続された表面を含む、請求項２２に記載の整形外科インプラントアセンブリシステム。
【請求項２６】
前記複数の中央ねじの前記各ねじは、固有のねじ部分の長さを含む、請求項２５に記載の整形外科インプラントアセンブリシステムシステム。
【請求項２７】
前記複数の中央ねじの前記各ねじは、固有の非ねじ部分の長さを含む、請求項２５に記載の整形外科インプラントアセンブリシステム。
【請求項２８】
所望の骨を外科的に露出する工程および切除する工程を含む整形外科インプラントアセンブリを使用する方法であって、
円筒形のベースプレートを前記骨に挿入する工程と、
前記ベースプレートを介して前記骨に中央ねじを挿入する工程と、
前記周囲ボアを介して前記骨に周囲ねじを挿入する工程と、
前記ベースプレートの前記中央ボアにモジューラテーパをねじ止めする工程と、
前記モジューラテーパにグレノスフィアを配置する工程と、
前記グレノスフィア及び前記テーパを介して支柱を前記中央ねじ凹部に挿入し、ねじ止めする工程と、
を含み、
前記ベースプレートは、
上面と、
下面と、
前記上面から前記下面に配置され、近位内側ねじ部分と遠位非ねじ部分とを備えた中央ボアと、
前記中央ボアの周りに配置された複数の周囲ボアと
前記ベースプレートの前記底面から延びる複数の個別の弧状のキールと、
を含み、
前記中央ねじは、
中心軸と、
円筒形の近位非ねじ部分と、
遠位ねじ部分と、
前記ねじ部分と反対の方向に増加する表面積を有する近位ヘッド部分と、
トルク装置と係合するための近位部分を有し、前記近位ヘッド部と通って配置される凹部と、
中央ねじ部分と、
遠位非ねじ部分と、
を備え、
前記中央ねじは、前記ベースプレートの前記中央ボアを通ってスライド式に配置され、
前記ヘッド部分の直径は、前記中央ねじが前記ベースプレートの中央ボアによって捕捉されるように、前記ベースプレートの前記中央ボアの前記非ねじ部分の直径よりも大きく、
前記中央ねじは骨にねじ込むのに適しており、
前記周囲ねじは、前記周囲ボアの１つを通して配置され、前記周囲ねじは、骨にねじ込むのに適しており、
前記モジューラテーパは、
テーパ円筒形であり、
遠位ねじ部分と、
トルク装置と係合するための近位凹部と、
中央ボアと、
を備えており、
前記モジューラテーパは、前記ベースプレートの前記中央ボアにねじで接続され、
前記グレノスフィアは、
半球形であり、
遠位テーパ部分と、
中央ねじ部分と、
近位円筒部分を備える中央ボアと、
を備え、
前記グレノスフィアは、前記モジューラテーパの外側および前記グレノスフィアボアの遠位テーパ部分が機械的テーパ接続を形成するように、前記モジューラテーパの上に配置され、
前記支柱は、
直径およびトルク装置と係合するための近位凹部を有する円筒形の近位ヘッド部分と、
前記近位ヘッド部分の前記直径よりも小さい直径を有する中央部分と、
前記近位ヘッド部分の前記直径よりも小さい直径を有する遠位部分と、
前記中央支柱部分と前記遠位支柱部分との間の前記支柱の一部に沿って配置された外側ねじ部分と、
を含み、
前記支柱は、前記グレノスフィアの前記中央ボアを通して配置され、前記モジューラテーパの前記中央ボアを通してさらに配置され、前記中央ねじの前記凹部にさらに配置され、ねじで接続されている、
整形外科インプラントアセンブリを使用する方法。
【請求項２９】
所望の骨を外科的に露出する工程および切除する工程を含む整形外科インプラントアセンブリシステムを使用する方法であって、
円筒形のベースプレートを選択し、前記骨に挿入する工程と、
中央ねじを選択し、前記ベースプレートを介して前記骨に挿入する工程と、
周囲ねじを選択し、前記周囲ボアを介して前記骨に挿入する工程と、
モジューラテーパを選択し、前記ベースプレートの前記中央ボアにねじ止めする工程と、
グレノスフィアを選択し、前記モジューラテーパに配置する工程と、
支柱を選択し、前記グレノスフィア及び前記テーパを介して前記中央ねじ凹部に挿入し、ねじ止めする工程と、
を含み、
前記ベースプレートは、
上面と、
下面と、
前記上面から前記下面に配置され、近位内側ねじ部分と遠位非ねじ部分とを備えた中央ボアと、
前記中央ボアの周りに配置された複数の周囲ボアと
前記ベースプレートの前記底面から延びる複数の個別の弧状のキールと、
を含み、
前記中央ねじは、
中心軸と、
円筒形の近位非ねじ部分と、
遠位ねじ部分と、
前記ねじ部分と反対の方向に増加する表面積を有する近位ヘッド部分と、
トルク装置と係合するための近位部分を有し、前記近位ヘッド部分と通って配置される凹部と、
中央ねじ部分と、
遠位非ねじ部分と、
を備え、
前記中央ねじは、前記ベースプレートの前記中央ボアを通ってスライド式に配置され、
前記ヘッド部分の直径は、前記中央ねじが前記ベースプレートの中央ボアによって捕捉されるように、前記ベースプレートの前記中央ボアの前記非ねじ部分の直径よりも大きく、
前記中央ねじは骨にねじ込むのに適しており、
前記周囲ねじは、前記周囲ボアの１つを通して配置され、前記周囲ねじは、骨にねじ込むのに適しており、
前記モジューラテーパは、
テーパ円筒形であり、
遠位ねじ部分と、
トルク装置と係合するための近位凹部と、
中央ボアと、
を備えており、
前記モジューラテーパは、前記ベースプレートの前記中央ボアにねじで接続され、
前記グレノスフィアは、
半球形であり、
遠位テーパ部分と、
中央ねじ部分と、
近位円筒部分を備える中央ボアと、
を備え、
前記グレノスフィアは、前記モジューラテーパの外側および前記グレノスフィアボアの遠位テーパ部分が機械的テーパ接続を形成するように、前記モジューラテーパの上に配置され、
前記支柱は、
直径およびトルク装置と係合するための近位凹部を有する円筒形の近位ヘッド部分と、
前記近位ヘッド部分の前記直径よりも小さい直径を有する中央部分と、
前記近位ヘッド部分の前記直径よりも小さい直径を有する遠位部分と、
前記中央支柱部分と前記遠位支柱部分との間の前記支柱の一部に沿って配置された外側ねじ部分と、
を含み、
前記支柱は、前記グレノスフィアの前記中央ボアを通して配置され、前記モジューラテーパの前記中央ボアを通してさらに配置され、前記中央ねじの前記凹部にさらに配置され、ねじで接続されている、
整形外科インプラントアセンブリシステムを使用する方法。
【請求項３０】
前記ベースプレート、前記中央ねじおよび前記モジューラテーパは、単一のユニットとして事前に組み立てられ、単一のユニットとしてインプラントに挿入される、請求項２９に記載の方法。
【請求項３１】
ベースプレートと、
中央ボアを通って前記ベースプレートへ延びる中央ねじと、
前記ベースプレートの前記中央ボアの一部に係合する結合部材と、
を備える、インプラント。
【請求項３２】
前記結合部材に結合されたグレノスフィアと、
前記グレノスフィア、前記結合部材及び前記中央ねじを貫通する支柱と、
をさらに備える、請求項３１に記載のインプラント。
【請求項３３】
前記ベースプレートの複数の周囲ボア内に受け入れられた少なくとも１つの周囲ねじをさらに備える、請求項１〜３２のいずれか１項に記載のインプラント。
【請求項３４】
前記ベースプレートの前記中央ボアは、
前記ベースプレートの第１の端部から前記第２の端部に向かって延びる近位内側ねじ部分と、
前記近位内側ねじ部分から前記ベースプレートの前記第２の端部まで延びる遠位非ねじ部分と、
をさらに備える、請求項１〜３３のいずれか１項に記載のインプラント。
【請求項３５】
前記ベースプレートはさらに、前記ベースプレートの底面から離れて延びる複数の突起を備える、請求項１〜３４のいずれか１項に記載のインプラント。
【請求項３６】
前記複数の突起の各突起は、前記複数の周囲ボアの各周囲ボアに隣接して配置される、請求項１〜３５のいずれか１項に記載のインプラント。
【請求項３７】
前記ベースプレートは、前記第１の端部から前記第２の端部まで前記ベースプレートを通って延びる複数の貫通開口部をさらに備え、
前記複数の貫通開口部は、前記複数の突起の少なくとも１つの突起に隣接して配置される、請求項１〜３６のいずれか１項に記載のインプラント。
【請求項３８】
前記中央ねじは、
ヘッド部分と、
前記ヘッド部分の第２の端部から離れて延びる近位非ねじ部分と、
前記近位非ねじ部分の第２の端部から離れて延びる遠位ねじ部分と、
をさらに備える、請求項１〜３７のいずれか１項に記載のインプラント。
【請求項３９】
前記中央ねじは、前記中央ねじへ延びる凹部であって、前記第１の端部から前記ヘッド部分を通って前記近位非ねじ部分に伸びる凹部をさらに備える、請求項１〜３８のいずれか１項に記載のインプラント。
【請求項４０】
前記凹部は、
前記中央ねじの前記第１の端部から前記第２の端部に向かって延びる第１の部分と、
前記第１の部分の前記第２の端部から前記凹部の底面まで延びる第２の部分と、
を備える、請求項１〜３９のいずれか１項に記載のインプラント。
【請求項４１】
前記第２の部分はねじ付けされている、請求項１〜４０のいずれか１項に記載のインプラント。
【請求項４２】
前記結合部材は、
遠位外側ねじ部分と、
前記結合部材を通って、第１の端部から第２の端部まで延びる中央ボアと、
前記結合部材の前記第１の端部へ延び、前記中央ボアに係合する近位凹部と、
を備える、請求項１〜４１のいずれか１項に記載のインプント。
【請求項４３】
前記結合部材は、前記結合部材の前記第１の端部から離れて延びる複数の突起をさらに備える、請求項１〜４２のいずれか１項に記載のインプント。
【請求項４４】
前記グレノスフィアは、
前記グレノスフィアを通って第１の端部から第２の端部まで延びる中央ボアと、
前記第２の端部から前記グレノスフィアに伸びる凹状領域と、
前記グレノスフィアの前記第２の端部から離れて伸び、前記凹状領域を囲む第１のリップと、
前記グレノスフィアの前記第２の端部から離れて伸び、前記中央ボアを囲む突起と、
を含む、請求項１〜４３のいずれか１項に記載のインプント。
【請求項４５】
前記中央ボアは、
前記グレノスフィアの前記第１の端部から前記第２の端部に向かって延びる近位円筒部分と、
前記グレノスフィアの前記第２の端部から前記第１の端部に向かって延びる遠位テーパ部分と、
前記近位円筒部分と遠位テーパ部分との間に配置された中央ねじ部分と、
を含む、請求項１〜４４のいずれか１項に記載のインプント。
【請求項４６】
前記支柱は、
ヘッド部分と、
前記ヘッド部分から離れて延びるステムと、
を備え、
前記ヘッド部分は、前記支柱の第１の端部から前記ヘッド部分へ延びる係合凹部を含む、請求項１〜４５のいずれか１項に記載のインプント。
【請求項４７】
前記ステムは、
前記ヘッド部分の底面から前記第２の端部に向かって延びる中央部分と、
前記第２の端部から前記中央部分に向かって延びる遠位部分と、
前記中央部分と前記遠位部分との間に配置された外側ねじ部分と、
を備える、請求項１〜４６のいずれか１項に記載のインプント。
【発明の詳細な説明】
【技術分野】
【０００１】
本願の特許請求の範囲は、２０１８年７月２７日に出願された米国仮出願第６２／７１１４４９号の米国特許法第１１９条（ｅ）に基づく優先権を主張し、その全体が参照により本明細書に組み込まれている。
【０００２】
本発明は、通常、関節の関節面、例えば、肩プロテーゼを置換するために使用される一般外科、整形外科用インプラントに関する。より具体的には、排他的ではないが、本発明は、解剖学的肩関節炎のための関節窩インプラント、ならびにそれを使用するための方法に関する。
【背景技術】
【０００３】
肩関節置換術は、肩甲上腕関節の全部または一部が補綴インプラントによって置き換えられる外科的処置である。このような関節置換術は、一般的に関節炎の痛みを和らげたり、重度の関節の損傷を修復したりするために行われる。
【０００４】
肩関節置換術は、肩関節の重度の関節炎の治療のための選択肢である。関節炎は、関節の軟骨に影響を与える状態である。軟骨の表層がすり減ると、骨の間の保護表層が失われる。これが起こると、痛みを伴う骨対骨関節炎が発症する。重度の肩関節炎は非常に痛みを伴い、運動の制限を引き起こし得る。これは薬やライフスタイルの調整で我慢し得るが、外科的治療が必要になる時が来得る。
【発明の概要】
【発明が解決しようとする課題】
【０００５】
肩関節にアクセスするためのいくつかの主要なアプローチがある。１つ目は三角胸筋アプローチであり、それは三角筋を保存するが、肩甲下筋を切断する必要がある。２つ目は、関節窩でまっすぐなアプローチを提供する三角筋横断アプローチである。しかしながら、このアプローチの間、三角筋は潜在的な損傷のリスクにさらされる。
【課題を解決するための手段】
【０００６】
肩関節形成術または肩関節形成術としても知られる肩関節置換術は、１８９３年にフランスの外科医ジュール・エミール・ピーンによって最初に開発された。彼の手順は、肩関節を物理的に滑らかにし、プラチナとゴムの材料を移植することで構成されていた。肩関節置換術の進歩における次の注目すべき事例は、チャールズ・ニールが実質上、上腕骨頭のみを置換し、天然の肩のソケットまたは関節窩を無傷のままにして、最初の半関節形成術を行った１９９５年のことである。この手順は時間の経過とともに指数関数的に有名になったが、患者はしばしば関節窩表面でも軟骨の喪失を発症し、痛みと関節窩の侵食を引き起こした。これは、上腕骨コンポーネントだけでなく、関節窩コンポーネントも置換する手順の開発を促進した。
【０００７】
該手順の開発を通して、回旋腱板の筋肉が、強度、可動域、および痛みの減少に関して最良の結果を生み出すために不可欠であることが広く受け入れられるようになった。この発見に加えて、肩の通常の球関節の解剖学的構造の物理的制約は、何らかの形でほとんどの発達を制限しました。たとえば、厳しく制限されたシステムは、可動領域を限定し、関節窩の固有の解剖学的構造は補綴物を固定すること、及びコンポーネントを破砕することなく固定することが困難であることを明らかにした。これらの課題と高い失敗率は、天然の肩の解剖学的構造によって課せられた制限を克服するための逆全肩関節形成術の開発につながった。
【０００８】
１９７０年代は、この方法論を使用する外科的アプローチの指数関数的な増加があり、外科的技術の数およびバリエーションは多い。しかしながら、１９８５年にポールグラムモントは、今日のほとんどの逆肩関節置換術の基礎となる優れた技術と共に登場した。
【０００９】
従来の人工肩関節全置換術では、該アプローチは、三角筋を胸筋から分離することから始まり、比較的神経のない通路を介した肩（肩甲上腕）関節へのアクセスを容易にする。肩関節は、最初は回旋腱板の筋肉（肩甲下筋、棘上筋、棘下筋、小円筋）と関節嚢（肩甲上筋靭帯）で覆われている。通常、単一の回旋腱板の筋肉が識別され、肩関節に直接アクセスできるように切断される。この時点で、外科医は関節の関節炎部分を取り除き、次に球関節とソケットプロテーゼを関節内に固定することができる。
【００１０】
より安全でより効果的な技術の開発は、逆全肩関節形成術の使用の増加をもたらした。逆全肩関節形成術は、通常、回旋腱板の筋肉がひどく損傷している場合に適応される。
【００１１】
多くの既存のリバースショルダーシステムは、ベースプレートおよびグレノスフィアを必要とする。これらのシステムは、一般に、ベースプレートが関節窩に固定される方法、およびグレノスフィアがベースプレートに係合する方法のそれぞれと異なる。いくつかのシステムでは、ベースプレートは、複数のねじによって肩甲骨の関節窩に固定され得、凸状の関節面を有するグレノスフィアは、ベースプレートの一部である、軸方向のねじ特徴および／またはテーパを使用して、ベースプレートにねじ込まれ得る。他のシステムでは、グレノスフィアは、テーパ接続を介してのみベースプレートと係合し得る。
【００１２】
グレノスフィアがねじ接続またはテーパ接続のいずれかを介してベースプレートに係合する場合、グレノスフィアとベースプレートは、一定の時間の後に分離し得る。これにより、グレノスフィアがベースプレートに対して傾き、場合によってはベースプレートから離れる。いずれの状況でも、ベースプレートとグレノスフィアの位置がずれる。
【００１３】
いくつかのシステムは、最初に中央のねじをグレノスフィアに固定し、次に中央ねじを介してベースプレートとグレノスフィアとの間の接続をガイドすることを含む。ベースプレートとグレノスフィアとの間の接続をガイドする工程は、逆肩の工程中に外科医が有し得る最小限のアクセスと可視性のために、通常、重要な考慮事項である。ベースプレートへのアクセスは一般に狭く、外科医がベースプレートとグレノスフィアの間の係合を正しく調整するために必要な可視性を得るのは比較的困難である。
【００１４】
当技術分野で必要とされるのは、より少ない骨損失、改善された骨移植片保持、およびより大きな初期および長期のインプラント固定をもたらす設計上の利点を提供することによって従来技術の装置を改善する肩インプラントである。
【００１５】
本開示の態様は、解剖学的肩関節形成術のための関節窩インプラントを提供する。本発明はまた、関節窩インプラントを使用するための方法を提供する。
【００１６】
一態様では、本明細書で提供されるのは、ベースプレート、ベースプレートの中央ボアを通って延びる中央ねじ、およびベースプレートの中央ボアの一部と係合する結合部材を含むインプラントである。
【００１７】
別の態様では、本明細書で提供されるのは、インプラントを挿入するための外科的方法である。
【００１８】
本発明のこれらの、および他の目的、特徴、および利点は、添付の図面と併せて取られる本発明の様々な態様の以下の詳細な説明から明らかになる。
【図面の簡単な説明】
【００１９】
本明細書の一部を構成し、本明細書の一部を構成する添付図面は、本発明の実施形態を例示し、本明細書の詳細な説明と共に、本発明の原理を説明するのに役立つ。図面は、好ましい実施形態を説明するためだけであり、本発明を限定するものと解釈されるべきではない。産業上の標準的な実施に従って、様々な特徴が縮尺通りに描かれていないことが強調される。実際に、様々な特徴の寸法は、説明を明確にするために、任意に増減されてもよい。本発明の上記及び他の目的、特徴及び利点は、添付の図面を参照して以下の詳細な説明から明らかである。
【図１】図１は、本開示の一態様に係る、関節窩インプラントの一実施形態の第１の斜視図である。
【図２】図２は、本開示の一態様に係る、図１の関節窩インプラントの第２の斜視図である。
【図３】図３は、本開示の一態様に係る、図１の関節窩インプラントの第１の側面図である。
【図４】図４は、本開示の一態様に係る、図１の関節窩インプラントの第２の側面図である。
【図５】図５は、本開示の一態様に係る、図１の関節窩インプラントの上面図である。
【図６】図６は、本開示の一態様に係る、図１の関節窩インプラントの底面図である。
【図７】図７は、本開示の一態様に係る、図５の７−７線に沿った図１の関節窩インプラントの第１の断面図である。
【図８】図８は、本開示の一態様に係る、図５の８−８線に沿った図１の関節窩インプラントの第２の断面図である。
【図９】図９は、本開示の一態様に係る、図１の関節窩インプラントの分解された第１の斜視図である。
【図１０】図１０は、本開示の一態様に係る、図１の関節窩インプラントの分解された第２の斜視図である。
【図１１】図１１は、本開示に係る、図１の関節窩インプラントの分解された第１の側面図である。
【図１２】図１２は、本開示の一態様に係る、図１の関節窩インプラントの分解された第２の側面図である。
【図１３】図１３は、本開示の一態様に係る、図１の関節窩インプラントの外側図である。
【図１４】図１４は、本開示の一態様に係る、図１の関節窩インプラントの内側図である。
【図１５】図１５は、本開示の一態様に係る、図１の関節窩インプラントのコンポーネントの分解された断面図である。
【図１６】図１６は、本開示の一態様に係る、別の関節窩インプラントの側面組立図である。
【図１７】図１７は、本開示の一態様に係る、図１６の関節窩インプラントの別の側面図である。
【図１８】図１８は、本開示の一態様に係る、図１６の関節窩インプラントのさらに別の側面図である。
【図１９】図１９は、本開示の一態様に係る、図１６の関節窩インプラントの上面斜視図である。
【図２０】図２０は、本開示の一態様に係る、図１６の関節窩インプラントの底面斜視図である。
【図２１】図２１は、本開示の一態様に係る、図１６の関節窩インプラントの側面断面図である。
【図２２】図２２は、本開示の一態様に係る、図１６の関節窩インプラントの分解された側面図である。
【図２３】図２３は、本開示の一態様に係る、図１６の関節窩インプラントのベースプレートの上面斜視図である。
【図２４】図２４は、本開示の一態様に係る、図２３のベースプレートの底面図である。
【図２５】図２５は、本開示の一態様に係る、図２３のベースプレートの側面図である。
【図２６】図２６は、本開示の一態様に係る、図２３のベースプレートの別の側面図である。
【図２７】図２７は、本開示の一態様に係る、図２３のベースプレートの別の側面図である。
【図２８】図２８は、本開示の一態様に係る、図２３のベースプレートの断面図である。
【図２９】図２９は、本開示の一態様に係る、図１６の関節窩インプラントとともに使用するための中央ねじの上面斜視図である。
【図３０】図３０は、本開示の一態様に係る、図２９の中央ねじの側面図である。
【図３１】図３１は、本開示の一態様に係る、図２９の中央ねじの断面図である。
【図３２】図３２は、本開示の一態様に係る、図１６の関節窩インプラントとともに使用するための周囲圧縮ねじの上面斜視図である。
【図３３】図３３は、本開示の一態様に係る、図３２の周囲圧縮ねじの側面図である。
【図３４】図３４は、本開示の一態様に係る、図３２の周囲圧縮ねじの断面図である。
【図３５】図３５は、本開示の一態様に係る、図３２の図１６の関節窩インプラントとともに使用するためのモジューラロッキングテーパの上面斜視図である。
【図３６】図３６は、本開示の一態様に係る、図３５のモジューラロッキングテーパの側面図である。
【図３７】図３７は、本開示の一態様に係る、図３５のモジューラロッキングテーパの断面図である。
【図３８】図３８は、本開示の一態様に係る、図１６の関節窩インプラントのグレノスフィアの上面斜視図である。
【図３９】図３９は、本開示の一態様に係る、図３８のグレノスフィアの底面斜視図である。
【図４０】図４０は、本開示の一態様に係る、図３８のグレノスフィアの上面図である。
【図４１】図４１は、本開示の一態様に係る、図３８のグレノスフィアの側面図である。
【図４２】図４２は、本開示の一態様に係る、図３８のグレノスフィアの断面図である。
【図４３】図４３は、本開示の一態様に係る、図１６の関節窩インプラントとともに使用するための支柱の上面斜視図である。
【図４４】図４４は、本開示の一態様に係る、図４３の支柱の側面図である。
【図４５】図４５は、本開示の一態様に係る、図４３の支柱の断面図である。
【発明を実施するための形態】
【００２０】
一般的に述べられているように、本明細書に開示されているのは、肩プロテーゼ用の関節窩インプラントである。さらに、関節窩インプラントを使用するための外科的方法が説明される。
【００２１】
本発明の詳細な説明および以下の特許請求の範囲において、近位、遠位、前方、後方、内側、外側、上方、および下方という用語言葉は、天然の骨の相対的配置又は参照の方向的用語に従って、骨またはインプラントの特定の部分を示すために、それらの用語の標準的な使用によって定義される。例えば、「近位」は、胴体に最も近いデバイスまたはインプラントの部分を意味し、一方、「遠位」は、デバイスまたはインプラントの胴体から最も遠い部分を示す。方向の用語に関して、「前方」は体の正面に向かう方向であり、「後方」は体の裏側に向かう方向を意味し、「内側」は体の正中線に向かう方向を意味し、「外側」は体の側方に向かう方向または体の正中線から離れる方向を意味し、「上方」は別の物体または構造の上の方向を意味し、「下方」とは、別の物体または構造の下の方向を意味する。
【００２２】
本明細書で使用される用語「典型的な」または「例示的な」は、一例、実例、または例示として機能する。本明細書に「一例」又は「例示」として記載されている任意の実施形態は、必ずしも他の実施態様よりも好ましいまたは有利であると解釈される必要はない。また、本説明では、「上」、「下」「左」、「後」、「右」、「前」、「垂直」、「水平」、及びそれらと類似する用語は、各実施形態の第１の図に向けられた本発明に関連する。
【００２３】
同様に、位置または方向は、解剖学的構造または表面を参照して本明細書で使用され得る。例えば、現在のインプラント、デバイス、システム、および方法が、肩の骨との使用に関して本明細書に記載されているので、肩および上腕の骨は、インプラント、デバイス、システムおよび方法の表面、位置、方向または向きを記述するために使用され得る。さらに、本明細書に開示されるインプラント、デバイス、システムおよび方法、ならびにそれらの態様、構成要素、特徴などは、簡潔にするために、身体の一側面に関して説明される。しかしながら、人体は対称線(正中線)を中心として比較的、対称または鏡像なので、本発明の趣旨および範囲から逸脱することなく、同じまたは同様の目的のために身体の別の側と使用または関連付けるため、本明細書に記載および／または図示されているインプラント、デバイス、システムおよび方法、ならびにそれらの態様、構成要素、特徴などが変更、され得ることが明確に期待される。本発明の趣旨および範囲から逸脱することなく、同じまたは類似の目的のために、身体の別の側面との使用または関連のために変更、修正、再構成、またはその他の方法で変更される。例えば、右肩に関して本明細書に記載されている、インプラント、デバイス、システムおよび方法、ならびにそれらの態様、構成要素、特徴などは、それらが同様に左肩に機能するように鏡像にされてもよく、その逆も同様である。さらに、本明細書に開示されるインプラント、デバイス、システムおよび方法、ならびにそれらの態様、構成要素、特徴などは、簡潔な目的のために肩に関して説明されるが、インプラント、デバイス、システムおよび方法は、例えば、下肢、より具体的には、足首、足、足の骨等の類似の構造を有する身体の他の骨に使用され得ることが理解されるべきである。
【００２４】
図面を参照すると、同様の参照番号が、いくつかの図全体にわたって同様のまたは類似の構成要素を示すために使用され、特に図１〜図１５を参照すると、関節窩インプラントまたは逆関節窩インプラント１００の実施形態が示されている。関節窩インプラント１００は、第１の端部または外側端部１０２と、第２の端部または中間端部１０４とを含む。第１の端部１０２は、第２の端部１０４の反対側に配置される。関節窩インプラント１００はまた、ベースプレート１１０、中央ねじ１３０、少なくとも１つの周囲ねじ１５０、結合部材１６０、グレノスフィア１８０、および支柱２００を含む。中央ねじ１３０は、ベースプレート１１０のボア１１６を通して挿入される。次に、結合部材１６０は、第１の端部でベースプレート１１０と係合して、中央ねじ１３０をボア１１６内に固定する。結合部材１６０の第２の端部は、グレノスフィア１８０内に受け入れられる。次に、支柱２００は、グレノスフィア１８０および結合部材１６０を通って、中央ねじ１３０の凹部１３６内に延び得る。少なくとも１つの周囲ねじ１５０は、グレノスフィア１８０を支柱２００で結合部材１６０に固定する前に、少なくとも１つの周囲ボア１２２を通して挿入され得る。
【００２５】
引き続き図７〜図１５を参照すると、ベースプレート１１０は、円筒形であり、上面１１２と下面または底面１１４とを含む。ベースプレート１１０は、例えば、ボード１２２およびキール１２４を取り囲む一定または連続の外部リングを含み得る。ベースプレート１１０はまた、ベースプレート１１０を通って上面１１２から下面１１４まで延びる中央ボア１１６を含み得る。図７、図８及び図１５に示すように、中央ボア１１６は、例えば、上面１１２からベースプレート１１０内に延びる第１の部分または近位内側ねじ部分１１８を含み得る。さらに、中央ボア１１６は、例えば、第１の部分１１８からベースプレート１１０の下面１１４まで延びる第２の部分または遠位非ねじ部分１２０を含み得る。ベースプレート１１０はまた、ベースプレート１１０を通って上面１１２から下面１１４まで延びる複数の周囲ボア１２２を含み得る。ボア１２２は、例えば、ベースプレート１１０の円周の周りに等間隔に配置されてもよく、あるいは、ベースプレート１１０の円周の周りに等間隔に配置されなくてもよい。図示の実施形態では、複数の周囲ボア１２２は、３つの周囲ボア１２２を含む。ベースプレート１１０の底面１１４は、例えば、湾曲または弧状であり得る。ベースプレート１１０はまた、複数の個別の弧状のキール、隆起、または突起１２４を含み得る。突起１２４は、ベースプレート１１０の底面１１４から離れて延びることができる。ベースプレート１１０はまた、ベースプレート１１０を通って上面１１２から下面１１４まで延びる複数の貫通開口部１２６を含み得る。貫通開口部１２６は、例えば、複数の周囲ボード１２２の間に配置され、ベースプレート１１０の下面１１４上の複数の突起１２４に隣接して配置され得る。
【００２６】
図７〜図１５に示されるような中央ねじ１３０は、近位非ねじ部分１３２および遠位ねじ部分１４２を含み得る。遠位ねじ部分１４２は、近位非ねじ部分１３２の底部から離れて延び得る。近位部分１３２は、中央ねじ１３０の第１の端部に配置されたヘッド部分１３４を含み得る。ヘッド部分１３４は、例えば、中央ねじ１３０の近位部分１３２の主要部分の直径よりも大きい直径を有し得る。近位部分１３２はまた、中央ねじ１３０の第１の端部から近位部分１３２に延びる凹部１３６を含み得る。凹部１３６は、第１の部分または近位雌セクション１３８および第２の部分またはねじ部分１４０を含み得る。第１の部分１３８は、中央ねじ１３０の第１の端部から第２の端部に向かって延び得、第２の部分１４０は、第１の部分１３８の底部から凹部１３６の底部まで延び得る。第１の部分１３８は、例えば、中央ねじ１３０を挿入または除去するためのツールと係合するための駆動機能であり得る。第２の部分１４０は、例えば、支柱２００の対応するねじ２１０を受け入れるためにねじ付けされ得る。近位部分１３２は、例えば、多孔質固定を提供するためのテクスチャまたはコーティングを有し得る。近位部分１３２は、例えば、骨を保存するように構成またはサイズ決定され、成形され得る。遠位ねじ部分１４２は、例えば、患者の骨と係合してベースプレート１１０を関節窩などの患者の骨に固定するようにねじを付けられ得る。
【００２７】
引き続き図７〜図１５を参照すると、少なくとも１つの周囲ねじ１５０が示されている。少なくとも１つの周囲ねじ１５０は、周囲ねじ１５０の第１の端部からヘッド部分１５２に埋め込まれた駆動開口部１５４を備えたヘッド部分１５２を含み得る。少なくとも１つの周囲ねじ１５０はまた、周囲ねじ１５０の第２の端部までヘッド部分１５２の底面から離れて延びるねじ部分１５６を含み得る。少なくとも１つの周囲ねじ１５０は、例えば、図示の実施形態に示されるような３つの周囲ねじ１５０であり得る。周囲ねじ１５０の代替数もまた、ベースプレート１１０の周囲ボア１２２の数に対応すると考えられる。周囲ねじ１５０は、ベースプレート１１０の周囲ボア１２２を通して挿入されて、ベースプレート１１０を患者の骨に固定することを補助するために、関節窩等の患者の骨と係合することができる。
【００２８】
結合部材またはモジューラテーパ１６０が、図７〜図１５に示されている。結合部材１６０は、結合部材１６０の遠位端または第２の端部に外側ねじ部分１６２を含み得る。結合部材１６０はまた、第１の端部から結合部材１６０内に延びる近位凹部１６４を含み得る。結合部材１６０はまた、結合部材１６０を通って第１の端部から第２の端部まで延びる中央ボア１６６を含み得る。近位凹部１６４は、例えば、結合部材１６０の第１の端部で中央ボア１６６と重なることができる。
【００２９】
引き続き図７〜図１５を参照すると、グレノスフィア１８０は、グレノスフィア１８０を通って第１の端部から第２の端部まで延びる中央ボア１８２を含み得る。中央ボア１８２は、遠位テーパ部分１８４、中央ねじ部分１８６、および近位円筒部分１８８を含み得る。遠位テーパ部分１８４は、グレノスフィア１８０の第２の端部から第１の端部に向かって延び得る。中央ねじ部分１８６は、遠位テーパ部分１８４と近位円筒部分１８８との間に配置され得る。近位円筒形部分１８８は、グレノスフィア１８０の第１の端部まで中央ねじ部分１８６から延び得る。図７、図８および図１５に示すように、遠位テーパ部分１８４の直径は、例えば、近位円筒部分１８８の直径よりも大きくてもよい。さらに、中央ねじ部分１８６の直径は、近位円筒部分１８８および遠位テーパ部分１８４の直径よりも小さくてもよい。遠位テーパ部分１８４は、それらがグレノスフィア１８０の第２の端部から中央ねじ部分１８６まで延びるにつれて先細りになる側壁を含み得る。グレノスフィア１８０の第２の端部は、第１のリップまたは外側リップ１９２と突起１９４との間に配置された凹状領域１９０を含み得る。第１のリップ１９２は、グレノスフィア１８０の第２の端部の円周を取り囲んでもよい。第１のリップ１９２は、例えば、凹状領域１９０を取り囲む一定または連続のリングであり得る。突起１９４は、グレノスフィア１８０の第２の端部の中央ボア１８２を取り囲み得る。
【００３０】
支柱２００は、図７〜図１５に示される。支柱２００は、支柱２００の第１の端部に配置された円筒形の近位ヘッド２０２を含み得る。円筒形近位ヘッド２０２は、例えば、第１および支柱２００から近位ヘッド２０２内に延びる近位凹部２０４を含み得る。支柱２００はまた、近位ヘッド２０２の第２の端部から離れて延びる中央部分２０６を含み得る。さらに、支柱２００は、支柱２００の第２の端部に配置された遠位部分２０８を含み得る。支柱２００はまた、中央部分２０６と遠位部分２０８との間に配置された外側ねじ部分２１０を含み得る。ねじ部分２１０は、例えば、中央ねじ１３０の第２のねじ部分１４０と係合するように構成またはサイズ決定され、成形され得る。
【００３１】
図１〜図６に示されるように、インプラント１００は、例えば、中央ねじ１３０をベースプレート１１０の中央ボア１１６を通して挿入することによって組み立てられ得る。次に、結合部材１６０のねじ部分１６２を、ベースプレート１１０の近位内側ねじ部分１１８にねじ込んで、中央ねじ１３０をベースプレート１１０に固定し得る。ベースプレート１１０、中央ねじ１３０、および結合部材１６０が一緒に固定された後、それらは、例えば、一緒に結合された患者に挿入され得る。次に、少なくとも１つの周囲ねじ１５０を、ベースプレート１１０の複数の周囲ボア１２２を通して挿入し得る。次に、グレノスフィア１８０の遠位テーパ部分１８４は、結合部材１６０の近位端に結合され得る。結合部材１６０は、例えば、結合部材１６０が取り付けられる前に周囲ねじ１５０の角度付けを可能にして、グレノスフィア１８０が取り付けられたときに中央ねじ１３０が抜けるのを防ぐことを補助し得る。次に、支柱２００は、支柱２００のねじ部分２１０が中央ねじ１３０のねじ部分１４０と係合するように、グレノスフィア１８０の中央ボア１８２、及び結合部材１６０の中央ボア１６６を通って、中央ねじ１３０の凹部１３６に挿入され得る。
【００３２】
関節窩インプラント１００、３００を移植するための外科的方法は、寸法決めおよび整列ステップを実行することによって患者の関節を準備することを含み得る。次に、骨をリーマ加工してチャネルおよび凹部を形成し、関節窩インプラント１００、３００を受け入れることができる。次に、選択された関節窩インプラント１００、３００が挿入され、骨に結合され得る。最後に、外科的処置が完了し、患者の切開が閉じられ得る。
【００３３】
図１６〜図４５を参照すると、関節窩インプラントまたは逆関節窩インプラント３００の別の実施形態が示されている。図２１〜図２２に示されるように、関節窩インプラント３００は、ベースプレート３１０、中央ねじ３３０、周囲圧縮ねじ３５０、モジューラテーパ２６０、グレノスフィア３８０、および支柱３９０を含む。
【００３４】
図２３〜図２８を参照すると、ベースプレート３１０は、円筒形であり、上面３１２、および下面または底面３１４を含む。ベースプレート３１０はまた、上面３１２と下面３１４との間に延びる中央ボア３１６を含む。ベースプレート３１０はまた、中央ボア３１６の周りに配置された複数の周囲ボア３２２を含む。さらに、ベースプレートは、ベースプレート３１０の底面３１４から離れて延びる複数の個別の弧状キール３２４を含む。図２８に示されるように、ベースプレート３１０の中央ボア３１６は、近位内側ねじ部分３１８および遠位非ねじ部分３２０を含む。
【００３５】
図２９〜図３１を参照すると、中央ねじ３３０は、中心軸、円筒形を有する近位非ねじ部分３３２、および遠位ねじ部分３４４を含む。中央ねじ３３０は、近位非ねじ部分３３２および／または遠位ねじ部分３４４と同様に、任意の所望の長さまたは幅を含むことができる。有利には、逆関節窩システムは、様々な全長および様々な部分長さを有する複数の中央ねじ３３０を含み得る。中央ねじ３３０の非ねじ部分３４２は、テクスチャリング、細孔、穴を含む骨内部成長表面、および／または機械的または生物学的骨内部成長促進材料に噴霧された骨内部成長表面をさらに含み得る。中央ねじ３３０はまた、近位ヘッド部分３３４を含む。ヘッド部分３３４は、ねじ部分３４２と反対の方向に増加する表面積を有する。中央ねじ３３０のヘッド部分３３４は、トルク装置（ねじ回し等）と係合するための近位雌セクション３３８を含む凹部３３６を含む。凹部３３６は、中央ねじ部分３４０、および遠位非ねじ部分３４２を含む。凹部３３６は、近位ヘッド３３４を通して配置される。図２１および２２に示されるように、中央ねじ３３０は、ベースプレート３１０の中央ボア３１６を通してスライド可能に配置される。中央ねじ３３０がベースプレートの中央ボア３１６によって捕捉されるように、ヘッド３３４の直径は、ベースプレート３１０の中央ボア３１６の非ねじ部分３３２の直径よりも大きい。中央ねじ３３０は、例えば、骨にねじ込むのに適している。
【００３６】
図３２〜図３４には、周囲ねじ３５０が示されている。ねじ３５０は、例えば、整形外科インプラント技術において知られているタイプの標準的な圧縮ねじであり得る。周囲ねじ３５０は、ヘッド部分３５２、ねじ３５０の第１の端部でヘッド部分３５２に挿入された駆動開口３５４、およびヘッド部分３５２から離れて延びるねじ部分３５６を含み得る。各ねじ３５０は、ベースプレート３１０の周囲ボア３２２の少なくとも１つを通って所望の骨に挿入可能であり、インプラント３００を骨に圧縮する。
【００３７】
図３５〜図３７を参照すると、結合部材またはモジューラテーパ３６０が示されている。モジューラテーパ３６０は、外側テーパ円筒形を含む。モジューラテーパ３６０は、スクリュードライバー等のトルク装置と係合するための遠位外側ねじ部分３６２および近位凹部３６４をさらに含む。モジューラテーパ３６０はまた、モジューラテーパ３６０を通して配置された中央ボア３６６を含む。図２１および図２２に示されるように、モジューラテーパ３６０は、ベースプレート３１０の中央ボア３１６内にねじで接続される。
【００３８】
図３８〜図４２を参照すると、グレノスフィア３８０が示されている。グレノスフィア３８０は、半球形であり、遠位テーパ部分３８４、中央ねじ部分３８６、および近位円筒部分３８８を有する中央ボア３８２を含む。図２１および図２２において、グレノスフィア３８０は、モジューラテーパ３６０の外側およびグレノスフィアボア３８２の遠位テーパ部分３８４が機械的テーパ接続を形成するように、モジューラテーパ３６０の上に配置される。
【００３９】
図２８〜図３０を集約的に参照すると、支柱３９０が示されている。支柱３９０は、トルク装置と係合するための直径および近位凹部３９４を有する円筒形近位ヘッド３９２を含む。支柱３９０はさらに、支柱近位ヘッド３９２の直径よりも小さい直径を有する中央部分３９６と、支柱近位ヘッド３９２の直径よりも小さい直径を有する遠位部分３９８とを含む。支柱３９０はまた、中央支柱部分３９６と遠位支柱部分３９８との間の支柱３９０の一部に沿って配置された外側ねじ部分３００を含む。組み立てられたとき、図２１および図２２に示されるように、支柱３９０は、グレノスフィア３８０の中央ボア３８２を通して、モジューラテーパ３６０の中央ボア３６６を通して配置され、中央ねじ３３０の凹部３３６にねじで接続される。
【００４０】
本開示によるインプラント３００は、他の既知の逆関節窩デバイスに勝るいくつかの利点を提供する。ベースプレート３１０は、圧縮を提供するために中央ロッキングねじ３３０を受け入れることができ、次に、グレノスフィア３８０を受け入れるテーパーキャップ３６０を介して構造を剛性化するために所定の位置にロックされる。この構築物は、外科医がロックされた構築物３００全体を一体として挿入して、工程を合理化するか、または修正手術を単純化することを可能にするために、事前に組み立てることができる。テーパは後で追加でき、かつ／または偏心を可能にする組み込まれたオフセットを有し、若しくは側方に組み込むためのより長いテーパーオプションを有する。
【００４１】
ねじ３３０は、ベースプレートの遠位支柱を本質的に置き換える支柱部分を有し、その形状をねじに伝達し、ねじがそれを通過する必要がなく、最終的に骨を保存するので、支柱の直径をはるかに小さくすることができる。さらに、ねじ３３０はベースプレートを通過し、ねじ部分を介して圧縮を提供するとともに、近位部分を介して長期間固定する。
【００４２】
整形外科用インプラントアセンブリ３００を使用する例示的な方法は、ベースプレート３１０を骨に配置する工程、ベースプレート３１０を介して中央ねじ３３０を骨に挿入する工程、ベースプレート３１０の周囲ボア３２２を介して周囲圧縮ねじ３５０を挿入する工程、及びモジューラテーパ３６０をベースプレート３１０の中央ボア３１６にねじ込む工程を含む。これらの工程は、開腹手術中に実行することも、手術前に事前に組み立てることもできる。
【００４３】
次に、本開示のインプラント３００を使用する例示的な方法は、グレノスフィア３８０をモジューラテーパ３６０上に配置する工程、支柱３９０をグレノスフィア３８０およびテーパ３６０に挿入する工程、そして同じものを中央ねじ３３０にねじ込む工程を含む。
【００４４】
本明細書の教示に基づいて当業者によって認識され得るように、本開示の範囲から逸脱することなく、本開示の上記および他の実施形態に対して多数の変更および修正を行うことができる。添付の要約および図面を含む、本明細書に開示されるインプラント、デバイス、および／またはシステムの構成要素は、別の実施形態に開示されるものなどの代替の構成要素または特徴によって置き換えられ得、意図された目的のために同様の機能を提供するために、そのような代替の構成要素または特徴によって同じ、同等または同様の結果を達成するために当業者によって知られているのと同じ、同一または同様の目的を提供する。さらに、インプラント、デバイス、および／またはシステムは、本明細書に記載および図示される実施形態よりも多いまたは少ない構成要素または特徴を含み得る。例えば、インプラント１００、３００の構成要素および特徴は、当業者によって修正または変更されるように、交換可能に、および代替の組み合わせで使用され得る。さらに、インプラント１００、３００に関連する外科的方法のステップは、当業者によって修正または変更されるように、互換的に、および代替の組み合わせで使用することができる。したがって、現在好ましい実施形態のこの詳細な説明は、本開示の限定とは対照的に、例示的に解釈されるべきである。
【００４５】
本明細書で使用される用語は、特定の実施形態を説明することのみを目的としており、本発明を限定することを意図するものではない。本明細書で使用される場合、単数形「１つの」、および「その」は、文脈が明らかに他のことを示さない限り、複数形も含むことを意図している。さらに、「構成する」（および「構成している」などの「構成する」任意の形態）、「有する」（および「有している」などの「有する」任意の形態）、「備える」（および「備えている」などの「備える」の任意の形態）という用語は、制限のない連結動詞です。結果として、１つまたは複数のステップまたは構成部材を「構成する」、「有する」、「備える」、または「含む」方法またはデバイスは、それらの１つまたは複数のステップまたは構成要素を所有するが、それらの１つまたは複数のステップまたは構成要素のみを所有することに限定されない。同様に、１つまたは複数の特徴を「構成する」、「有する」、「備える」、または「含む」方法の工程またはデバイスの構成要素は、それらの１つまたは複数の特徴を所有するが、それらの１つのみを所有することに限定されない。さらに、特定の方法で構成されたデバイスまたは構造は、少なくともその方法で構成されるが、記載されていない方法で構成されてもよい。
【００４６】
本発明は、好ましい実施形態を参照して説明されてきた。本明細書に記載の使用できる実施形態は、同じ一般的な特徴、特性、および一般的なシステム動作を提供するための複数の可能な構成の例示であることが理解される。上記の詳細な説明を読んで理解すると、第３者は修正や変更を思いつくであろう。本発明は、そのようなすべての修正および変更を含むと解釈されることが意図される。
【図１】
2022502216.tif 000003
【図２】
2022502216.tif 000004
【図３】
2022502216.tif 000005
【図４】
2022502216.tif 000006
【図５】
2022502216.tif 000007
【図６】
2022502216.tif 000008
【図７】
2022502216.tif 000009
【図８】
2022502216.tif 000010
【図９】
2022502216.tif 000011
【図１０】
2022502216.tif 000012
【図１１】
2022502216.tif 000013
【図１２】
2022502216.tif 000014
【図１３】
2022502216.tif 000015
【図１４】
2022502216.tif 000016
【図１５】
2022502216.tif 000017
【図１６】
2022502216.tif 000018
【図１７】
2022502216.tif 000019
【図１８】
2022502216.tif 000020
【図１９】
2022502216.tif 000021
【図２０】
2022502216.tif 000022
【図２１】
2022502216.tif 000023
【図２２】
2022502216.tif 000024
【図２３】
2022502216.tif 000025
【図２４】
2022502216.tif 000026
【図２５】
2022502216.tif 000027
【図２６】
2022502216.tif 000028
【図２７】
2022502216.tif 000029
【図２８】
2022502216.tif 000030
【図２９】
2022502216.tif 000031
【図３０】
2022502216.tif 000032
【図３１】
2022502216.tif 000033
【図３２】
2022502216.tif 000034
【図３３】
2022502216.tif 000035
【図３４】
2022502216.tif 000036
【図３５】
2022502216.tif 000037
【図３６】
2022502216.tif 000038
【図３７】
2022502216.tif 000039
【図３８】
2022502216.tif 000040
【図３９】
2022502216.tif 000041
【図４０】
2022502216.tif 000042
【図４１】
2022502216.tif 000043
【図４２】
2022502216.tif 000044
【図４３】
2022502216.tif 000045
【図４４】
2022502216.tif 000046
【図４５】
2022502216.tif 000047
【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
ベースプレートと、
中央ボアを通って前記ベースプレートへ延びる中央ねじと、
前記ベースプレートの前記中央ボアの一部と係合する結合部材と、
を備えるインプラント。
【請求項２】
前記結合部材に結合されたグレノスフィアと、
前記グレノスフィア、前記結合部材及び前記中央ねじを通って延びる支柱と、
をさらに備える、請求項１に記載のインプラント。
【請求項３】
前記ベースプレートの複数の周囲ボア内に受け入れられた少なくとも１つの周囲ねじをさらに備える、請求項２に記載のインプラント。
【請求項４】
前記ベースプレートの前記中央ボアは、
前記ベースプレートの第１の端部から第２の端部に向かって延びる近位内側ねじ部分と、
前記近位内側ねじ部分から前記ベースプレートの前記第２の端部まで延びる遠位非ねじ部分と、をさらに備える、請求項３に記載のインプラント。
【請求項５】
前記ベースプレートは、前記ベースプレートの底面から離れて延びる複数の突起をさらに備える、請求項４に記載のインプラント。
【請求項６】
前記複数の突起の各突起は、前記複数の周囲ボアの各周囲ボアに隣接して配置されている、請求項５に記載のインプラント。
【請求項７】
前記ベースプレートは、前記第１の端部から前記第２の端部まで前記ベースプレートを通って延びる複数の貫通開口をさらに備え、
前記複数の貫通開口は前記複数の突起の前記少なくとも１つの突起に隣接して配置されている、請求項６に記載のインプラント。
【請求項８】
前記中央ねじは、
ヘッド部分と、
前記ヘッド部分の第２の端部から離れて延びる近位非ねじ部分と、
前記近位非ねじ部分の第２の端部から離れて延びる遠位ねじ部分と、
をさらに備える、請求項４に記載のインプラント。
【請求項９】
前記中央ねじは、前記第１の端部から前記ヘッド部分を通って前記中央ねじへ延び、かつ前記近位非ねじ部分に伸びる凹部を備える、請求項８に記載のインプラント。
【請求項１０】
前記凹部は、
前記中央ねじの前記第１の端部から前記第２の端部に向かって延びる第１の部分と、
前記第１の部分の第２の端部から前記凹部の底部に延びる第２の部分と、
を備える、請求項９に記載のインプラント。
【請求項１１】
前記第２の部分はねじ付けされている、請求項１０に記載のインプラント。
【請求項１２】
前記結合部材は、
遠位外側ねじ部分と、
前記結合部材を通って、第１の端部から第２の端部まで延びる中央ボアと、
前記結合部材の前記第１の端部へ延び、前記中央ボアと係合する近位凹部と、
を備える、請求項１０に記載のインプラント。
【請求項１３】
前記結合部材は、前記結合部材の前記第１の端部から延びる複数の突起をさらに備える、請求項１２に記載のインプラント。
【請求項１４】
前記グレノスフィアは、
前記グレノスフィアを通って第１の端部から第２の端部まで延びる中央ボアと、
前記第２の端部から前記グレノスフィアに伸びる凹状領域と、
前記グレノスフィアの前記第２の端部から離れて伸び、前記凹状領域を囲む第１のリップと、
前記グレノスフィアの前記第２の端部から離れて伸び、前記中央ボアを囲む突起と、
を備える、請求項１２に記載のインプラント。
【請求項１５】
前記中央ボアは、
前記グレノスフィアの前記第１の端部から前記第２の端部に向かって延びる近位円筒部分と、
前記グレノスフィアの前記第２の端部から前記第１の端部に向かって延びる遠位テーパ部分と、
前記近位円筒部分と遠位テーパ部分との間に配置された中央ねじ部分と、
を備える、請求項１４に記載のインプラント。
【請求項１６】
前記支柱は、
ヘッド部と、
前記ヘッド部分から離れて延びるステムと、
を備え、
前記ヘッド部分は、前記支柱の第１の端部から前記ヘッド部分へ延びる係合凹部を含む、請求項１５に記載のインプラント。
【請求項１７】
前記ステムは、
前記ヘッド部分の底面から前記第２の端部へ離れて延びる中央部分と、
前記第２の端部から前記中央部分に向かって延びる遠位部分と、
前記中央部分と前記遠位部分との間に配置された外側ねじ部分と、
を備える、請求項１６に記載のインプラント。
【請求項１８】
円筒形のベースプレートと、
中央ねじと、
周囲圧縮ねじ及び周囲ねじと、
モジューラテーパと、
グレノスフィアと、
支柱と、
を備えた整形外科インプラントアセンブリであって、
前記ベースプレートは、
上面と、
下面と、
前記上面から前記下面に配置され、近位内側ねじ部分と遠位非ねじ部分とを備えた中央ボアと、
前記中央ボアの周りに配置された複数の周囲ボアと
前記ベースプレートの底面から延びる複数の個別の弧状キールと、
を含み、
前記中央ねじは、
中心軸と、
円筒形の近位非ねじ部分と、
遠位のねじ部分と、
前記ねじ部分と反対の方向に増加する表面積を有する近位ヘッド部分と、
トルク装置と係合するための近位部分を有し、前記近位ヘッド部分と通って配置される凹部と、
中央ねじ部分と、
遠位非ねじ部分と、
を備え、
前記中央ねじは、前記ベースプレートの前記中央ボアを通ってスライド式に配置され、
前記近位ヘッド部分の直径は、前記中央ねじが前記ベースプレートの中央ボアによって捕捉されるように、前記ベースプレートの前記中央ボアの前記遠位非ねじ部分の直径よりも大きく、
前記中央ねじは骨にねじ込むのに適しており、
前記周囲圧縮ねじは前記周囲ボアの１つを通して配置され、前記周囲ねじは骨にねじ込むのに適しており、
前記モジューラテーパは、
テーパ円筒形であり、
遠位ねじ部分と、
トルク装置と係合するための近位凹部と、
中央ボアと、
を備えており、
前記モジューラテーパは、前記ベースプレートの前記中央ボアにねじで接続され、前記中央ねじを前記ベースプレートにロックし、
前記グレノスフィアは、
半球形であり、
遠位テーパ部分と、
中央ねじ部分と、
近位円筒部分を備える中央ボアと、
を備え、
前記グレノスフィアは、前記モジューラテーパの外側および前記中央ボアの遠位テーパ部分が機械的テーパ接続を形成するように、前記モジューラテーパの上に配置され、
前記支柱は、
直径およびトルク装置と係合するための近位凹部を有する円筒形の近位ヘッド部分と、
前記近位ヘッド部分の前記直径よりも小さい直径を有する中央部分と、
前記近位ヘッド部分の前記直径よりも小さい直径を有する遠位部分と、
前記中央部分と前記遠位部分との間の前記支柱の一部に沿って配置された外側ねじ部分と、
を含み、
前記支柱は、前記グレノスフィアの前記中央ボアを通して配置され、前記モジューラテーパの前記中央ボアを通してさらに配置され、前記中央ねじの前記凹部にさらに配置され、ねじで接続されている、
整形外科インプラントアセンブリ。
【請求項１９】
前記近位非ねじ部分は、多孔質、テクスチャード加工、インデント、およびスプレーされた部材からなる群から構成された表面を含む、請求項１８に記載の整形外科インプラントアセンブリ。
【請求項２０】
円筒形のベースプレートと、
中央ねじと、
モジューラテーパと、
グレノスフィアと、
支柱と、
を備えた整形外科インプラントアセンブリであって、
前記ベースプレートは、
上面と、
下面と、
前記上面から前記下面に配置され、近位内側ねじ部分と遠位非ねじ部分とを備えた中央ボアと、
前記ベースプレートの底面から延びる複数の個別の弧状キールと、
を含み、
前記中央ねじは、
中心軸と、
円筒形の近位非ねじ部分と、
遠位ねじ部分と、
前記遠位ねじ部分と反対の方向に増加する表面積を有する近位ヘッド部分と、
トルク装置と係合するための近位部分を有し、前記近位ヘッド部分と通って配置される凹部と、
中央ねじ部分と、
遠位非ねじ部分と、
を備え、
前記中央ねじは、前記ベースプレートの前記中央ボアを通ってスライド式に配置され、
前記近位ヘッド部分の直径は、前記中央ねじが前記ベースプレートの中央ボアによって捕捉されるように、前記ベースプレートの前記中央ボアの前記遠位非ねじ部分の直径よりも大きく、
前記中央ねじは骨にねじ込むのに適しており、
前記モジューラテーパは、
テーパ円筒形であり、
遠位ねじ部分と、
トルク装置と係合するための近位凹部と、
中央ボアと、
を備えており、
前記モジューラテーパは、前記ベースプレートの前記中央ボアにねじで接続され、
前記グレノスフィアは、
半球形であり、
遠位テーパ部分と、
中央ねじ部分と、
近位円筒部分を備える中央ボアと、
を備え、
前記グレノスフィアは、前記モジューラテーパの外側および前記中央ボアの遠位テーパ部分が機械的テーパ接続を形成するように、前記モジューラテーパの上に配置され、
前記支柱は、
直径およびトルク装置と係合するための近位凹部を有する円筒形の近位ヘッド部分と、
前記近位ヘッド部分の前記直径よりも小さい直径を有する中央部分と、
前記近位ヘッド部分の前記直径よりも小さい直径を有する遠位部分と、
前記中央部分と前記遠位部分との間の前記支柱の一部に沿って配置された外側ねじ部分と、
を含み、
前記支柱は、前記グレノスフィアの前記中央ボアを通して配置され、前記モジューラテーパの前記中央ボアを通してさらに配置され、前記中央ねじの前記凹部にさらに配置され、ねじで接続されている、
整形外科インプラントアセンブリ。
【請求項２１】
前記中央ねじの前記近位非ねじ部分は、多孔性、テクスチャード加工、インデント、およびスプレーされた部材からなる群から選択された表面を含む、請求項２０に記載の整形外科インプラントアセンブリ。
【請求項２２】
少なくとも円筒形のベースプレートと、
複数の中央ねじと、
少なくとも１つの周囲圧縮ねじ及び周囲ねじと、
少なくとも１つのモジューラテーパと、
複数のグレノスフィアと、
少なくとも１つの支柱と、
を備えた整形外科インプラントアセンブリであって、
前記少なくとも１つのベースプレートは、
上面と、
下面と、
前記上面から前記下面に配置され、近位内側ねじ部分と遠位非ねじ部分とを備えた中央ボアと、
前記中央ボアの周りに配置された複数の周囲ボアと
前記ベースプレートの底面から延びる複数の個別の弧状キールと、
を含み、
前記複数の中央ねじの各中央ねじは、
中心軸と、
円筒形の近位非ねじ部分と、
遠位ねじ部分と、
前記ねじ部分と反対の方向に増加する表面積を有する近位ヘッド部分と、
トルク装置と係合するための近位部分を有し、前記近位ヘッド部分と通って配置される凹部と、
中央ねじ部分と、
遠位非ねじ部分と、
を備え、
前記中央ねじは、前記ベースプレートの前記中央ボアを通ってスライド式に配置され、
前記近位ヘッド部分の直径は、前記中央ねじが前記ベースプレートの中央ボアによって捕捉されるように、前記ベースプレートの前記中央ボアの前記近位非ねじ部分の直径よりも大きく、
前記中央ねじは骨にねじ込むのに適しており、
前記少なくとも１つの周囲圧縮ねじは前記周囲ボアの１つを通して配置され、前記周囲圧縮ねじは骨にねじ込むのに適しており、
前記少なくとも１つのモジューラテーパは、
先細りの円筒形であり、
遠位ねじ部分と、
トルク装置と係合するための近位凹部と、
中央ボアと、
を備えており、
前記モジューラテーパは、前記ベースプレートの前記中央ボアにねじで接続され、
前記複数のグレノスフィアの各グレのスフィアは、
半球形であり、
遠位テーパ部分と、
中央ねじ部分と、
近位円筒部分を備える中央ボアと、
を備え、
前記グレノスフィアは、前記モジューラテーパの外側および前記中央ボアの遠位テーパ部分が機械的テーパ接続を形成するように、前記モジューラテーパの上に配置され、
前記少なくとも１つの支柱は、
直径およびトルク装置と係合するための近位凹部を有する円筒形の近位ヘッド部分と、
前記近位ヘッド部分の前記直径よりも小さい直径を有する中央部分と、
前記近位ヘッド部分の前記直径よりも小さい直径を有する遠位部分と、
前記中央部分と前記遠位部分との間の前記支柱の一部に沿って配置された外側ねじ部分と、
を含み、
前記支柱は、前記グレノスフィアの前記中央ボアを通して配置され、前記モジューラテーパの前記中央ボアを通してさらに配置され、前記複数の中央ねじのうちの１つの前記凹部にさらに配置され、ねじで接続されている、
整形外科インプラントアセンブリシステム。
【請求項２３】
前記複数の中央ねじの各ねじは、固有のねじ部分の長さを含む、請求項２２に記載の整形外科インプラントアセンブリシステム。
【請求項２４】
前記複数の中央ねじの各ねじは、固有の非ねじ部分の長さを含む、請求項２２に記載の整形外科インプラントアセンブリシステム。
【請求項２５】
前記複数の中央ねじの各ねじの前記近位非ねじ部分は、多孔性、テクスチャード加工、インデント、およびスプレーされた部材からなる群から構成された表面を含む、請求項２２に記載の整形外科インプラントアセンブリシステム。
【請求項２６】
前記複数の中央ねじの前記各ねじは、固有のねじ部分の長さを含む、請求項２５に記載の整形外科インプラントアセンブリシステムシステム。
【請求項２７】
前記複数の中央ねじの前記各ねじは、固有の非ねじ部分の長さを含む、請求項２５に記載の整形外科インプラントアセンブリシステム。
【請求項２８】
所望の骨を外科的に露出する工程および切除する工程を含む整形外科インプラントアセンブリを使用する方法であって、
円筒形のベースプレートを前記骨に挿入する工程と、
前記ベースプレートを介して前記骨に中央ねじを挿入する工程と、
周囲ボアを介して前記骨に周囲ねじを挿入する工程と、
前記ベースプレートの中央ボアにモジューラテーパをねじ止めする工程と、
前記モジューラテーパにグレノスフィアを配置する工程と、
前記グレノスフィア及び前記モジューラテーパを介して支柱を前記中央ねじ凹部に挿入し、ねじ止めする工程と、
を含み、
前記ベースプレートは、
上面と、
下面と、
前記上面から前記下面に配置され、近位内側ねじ部分と遠位非ねじ部分とを備えた前記中央ボアと、
前記中央ボアの周りに配置された複数の前記周囲ボアと
前記ベースプレートの底面から延びる複数の個別の弧状のキールと、
を含み、
前記中央ねじは、
中心軸と、
円筒形の近位非ねじ部分と、
遠位ねじ部分と、
前記遠位ねじ部分と反対の方向に増加する表面積を有する近位ヘッド部分と、
トルク装置と係合するための近位部分を有し、前記近位ヘッド部分と通って配置される凹部と、
中央ねじ部分と、
遠位非ねじ部分と、
を備え、
前記中央ねじは、前記ベースプレートの前記中央ボアを通ってスライド式に配置され、
前記近位ヘッド部分の直径は、前記中央ねじが前記ベースプレートの中央ボアによって捕捉されるように、前記ベースプレートの前記中央ボアの前記近位非ねじ部分の直径よりも大きく、
前記複数の中央ねじの１つは骨にねじ込むのに適しており、
前記周囲ねじは、前記複数の周囲ボアの１つを通して配置され、前記周囲ねじは、骨にねじ込むのに適しており、
前記モジューラテーパは、
テーパ円筒形であり、
遠位ねじ部分と、
トルク装置と係合するための近位凹部と、
中央ボアと、
を備えており、
前記モジューラテーパは、前記ベースプレートの前記中央ボアにねじで接続され、
前記グレノスフィアは、
半球形であり、
遠位テーパ部分と、
中央ねじ部分と、
近位円筒部分を備える中央ボアと、
を備え、
前記グレノスフィアは、前記モジューラテーパの外側および前記中央ボアの遠位テーパ部分が機械的テーパ接続を形成するように、前記モジューラテーパの上に配置され、
前記支柱は、
直径およびトルク装置と係合するための近位凹部を有する円筒形の近位ヘッド部分と、
前記近位ヘッド部分の前記直径よりも小さい直径を有する中央部分と、
前記近位ヘッド部分の前記直径よりも小さい直径を有する遠位部分と、
前記中央部分と前記遠位部分との間の前記支柱の一部に沿って配置された外側ねじ部分と、
を含み、
前記支柱は、前記グレノスフィアの前記中央ボアを通して配置され、前記モジューラテーパの前記中央ボアを通してさらに配置され、前記中央ねじの前記凹部にさらに配置され、ねじで接続されている、
整形外科インプラントアセンブリを使用する方法。
【請求項２９】
所望の骨を外科的に露出する工程および切除する工程を含む整形外科インプラントアセンブリシステムを使用する方法であって、
円筒形のベースプレートを選択し、前記骨に挿入する工程と、
中央ねじを選択し、前記ベースプレートを介して前記骨に挿入する工程と、
周囲ねじを選択し、前記複数の周囲ねじの周囲ボアを介して前記骨に挿入する工程と、
モジューラテーパを選択し、前記ベースプレートの中央ボアにねじ止めする工程と、
グレノスフィアを選択し、前記モジューラテーパに配置する工程と、
支柱を選択し、前記グレノスフィア及び前記モジューラテーパを介して前記中央ねじ凹部に挿入し、ねじ止めする工程と、
を含み、
前記ベースプレートは、
上面と、
下面と、
前記上面から前記下面に配置され、近位内側ねじ部分と遠位非ねじ部分とを備えた前記中央ボアと、
前記中央ボアの周りに配置された複数の前記周囲ボアと
前記ベースプレートの底面から延びる複数の個別の弧状のキールと、
を含み、
前記中央ねじは、
中心軸と、
円筒形の近位非ねじ部分と、
遠位ねじ部分と、
前記近位ねじ部分と反対の方向に増加する表面積を有する近位ヘッド部分と、
トルク装置と係合するための近位部分を有し、前記近位ヘッド部分と通って配置される凹部と、
中央ねじ部分と、
遠位非ねじ部分と、
を備え、
前記中央ねじは、前記ベースプレートの前記中央ボアを通ってスライド式に配置され、
前記近位ヘッド部分の直径は、前記中央ねじが前記ベースプレートの中央ボアによって捕捉されるように、前記ベースプレートの前記中央ボアの前記近位非ねじ部分の直径よりも大きく、
前記中央ねじは骨にねじ込むのに適しており、
前記複数の周囲ねじの１つの周囲ボアは、前記周囲ボアの１つを通して配置され、前記周囲ねじは、骨にねじ込むのに適しており、
前記モジューラテーパは、
テーパ円筒形であり、
遠位ねじ部分と、
トルク装置と係合するための近位凹部と、
中央ボアと、
を備えており、
前記モジューラテーパは、前記ベースプレートの前記中央ボアにねじで接続され、
前記グレノスフィアは、
半球形であり、
遠位テーパ部分と、
中央ねじ部分と、
近位円筒部分を備える中央ボアと、
を備え、
前記グレノスフィアは、前記モジューラテーパの外側および前記中央ボアの遠位テーパ部分が機械的テーパ接続を形成するように、前記モジューラテーパの上に配置され、
前記支柱は、
直径およびトルク装置と係合するための近位凹部を有する円筒形の近位ヘッド部分と、
前記近位ヘッド部分の前記直径よりも小さい直径を有する中央部分と、
前記近位ヘッド部分の前記直径よりも小さい直径を有する遠位部分と、
前記中央部分と前記遠位部分との間の前記支柱の一部に沿って配置された外側ねじ部分と、
を含み、
前記支柱は、前記グレノスフィアの前記中央ボアを通して配置され、前記モジューラテーパの前記中央ボアを通してさらに配置され、前記中央ねじの前記凹部にさらに配置され、ねじで接続されている、
整形外科インプラントアセンブリシステムを使用する方法。
【請求項３０】
前記ベースプレート、前記中央ねじおよび前記モジューラテーパは、単一のユニットとして事前に組み立てられ、単一のユニットとしてインプラントに挿入される、請求項２９に記載の方法。
【請求項３１】
ベースプレートと、
中央ボアを通って前記ベースプレートへ延びる中央ねじと、
前記ベースプレートの前記中央ボアの一部に係合する結合部材と、
を備える、インプラント。
【請求項３２】
前記結合部材に結合されたグレノスフィアと、
前記グレノスフィア、前記結合部材及び前記中央ねじを貫通する支柱と、
をさらに備える、請求項３１に記載のインプラント。
【請求項３３】
前記ベースプレートの複数の周囲ボア内に受け入れられた少なくとも１つの周囲ねじをさらに備える、請求項３２に記載のインプラント。
【請求項３４】
前記ベースプレートの前記中央ボアは、
前記ベースプレートの第１の端部から第２の端部に向かって延びる近位内側ねじ部分と、
前記近位内側ねじ部分から前記ベースプレートの前記第２の端部まで延びる遠位非ねじ部分と、
をさらに備える、請求項３２又は３３に記載のインプラント。
【請求項３５】
前記ベースプレートはさらに、前記ベースプレートの底面から離れて延びる複数の突起を備える、請求項３４に記載のインプラント。
【請求項３６】
前記複数の突起の各突起は、前記複数の周囲ボアの各周囲ボアに隣接して配置される、請求項３４又は３５に記載のインプラント。
【請求項３７】
前記ベースプレートは、前記第１の端部から前記第２の端部まで前記ベースプレートを通って延びる複数の貫通開口部をさらに備え、
前記複数の貫通開口部は、前記複数の突起の少なくとも１つの突起に隣接して配置される、請求項３１〜３６のいずれか１項に記載のインプラント。
【請求項３８】
前記中央ねじは、
ヘッド部分と、
前記ヘッド部分の第２の端部から離れて延びる近位非ねじ部分と、
前記近位非ねじ部分の第２の端部から離れて延びる遠位ねじ部分と、
をさらに備える、請求項３１〜３７のいずれか１項に記載のインプラント。
【請求項３９】
前記中央ねじは、前記中央ねじへ延びる凹部であって、第１の端部から前記ヘッド部分を通って前記近位非ねじ部分に伸びる凹部をさらに備える、請求項３８に記載のインプラント。
【請求項４０】
前記凹部は、
前記中央ねじの前記第１の端部から前記第２の端部に向かって延びる第１の部分と、
前記第１の部分の前記第２の端部から前記凹部の底面まで延びる第２の部分と、
を備える、請求項３９に記載のインプラント。
【請求項４１】
前記第２の部分はねじ付けされている、請求項４０に記載のインプラント。
【請求項４２】
前記結合部材は、
遠位外側ねじ部分と、
前記結合部材を通って、第１の端部から第２の端部まで延びる中央ボアと、
前記結合部材の前記第１の端部へ延び、前記中央ボアに係合する近位凹部と、
を備える、請求項３１〜４１のいずれか１項に記載のインプラント。
【請求項４３】
前記結合部材は、前記結合部材の前記第１の端部から離れて延びる複数の突起をさらに備える、請求項４２に記載のインプラント。
【請求項４４】
前記グレノスフィアは、
前記グレノスフィアを通って第１の端部から第２の端部まで延びる中央ボアと、
前記第２の端部から前記グレノスフィアに伸びる凹状領域と、
前記グレノスフィアの前記第２の端部から離れて伸び、前記凹状領域を囲む第１のリップと、
前記グレノスフィアの前記第２の端部から離れて伸び、前記中央ボアを囲む突起と、
を含む、請求項３２〜４３のいずれか１項に記載のインプラント。
【請求項４５】
前記中央ボアは、
前記グレノスフィアの前記第１の端部から前記第２の端部に向かって延びる近位円筒部分と、
前記グレノスフィアの前記第２の端部から前記第１の端部に向かって延びる遠位テーパ部分と、
前記近位円筒部分と遠位テーパ部分との間に配置された中央ねじ部分と、
を含む、請求項４４に記載のインプラント。
【請求項４６】
前記支柱は、
ヘッド部分と、
前記ヘッド部分から離れて延びるステムと、
を備え、
前記ヘッド部分は、前記支柱の第１の端部から前記ヘッド部分へ延びる係合凹部を含む、請求項４４又は４５に記載のインプラント。
【請求項４７】
前記支柱は、
前記ヘッド部分の底面から前記第２の端部に向かって延びる中央部分と、
前記第２の端部から前記中央部分に向かって延びる遠位部分と、
前記中央部分と前記遠位部分との間に配置された外側ねじ部分と、
を備える、請求項４６に記載のインプラント。
【国際調査報告】
2022502216.tif 000048
2022502216.tif 000049